(57)【特許請求の範囲】
【請求項１】
各端末装置がデータプロバイダ（３）のデータを呼び出すための要求信号をデータプロバイダ（３）へ送信する送信手段とデータを処理する種々のデータ処理手段とを有しており、ここで要求信号には少なくとも１つの端末装置コードが含まれており、データプロバイダがただ１つのデータサービス（４）を標準化されたフォーマットで端末装置コードを用いて識別した端末装置のデータ処理手段へ供給する、
車両内の端末装置とデータプロバイダとの間で情報を伝送する方法において、
データプロバイダ（３）内に設けられた複数のインタフェース（６、７）を介して、データプロバイダから供給される標準化されたフォーマットのただ１つのデータサービスのデータをそれぞれのデータ処理手段に対して適合化する
ことを特徴とする端末装置とデータプロバイダとの間で情報を伝送する方法。
【請求項２】
データプロバイダ（３）と端末装置（１、２）との間の伝送を、ディジタル移動無線ネットワークを介して行う、請求項１記載の方法。
【請求項３】
端末装置コードに基づいて、データを第１のデータ処理手段において処理可能なテキスト出力または音声出力へ変換する第１のインタフェース、または、データを第２のデータ処理手段において処理可能なランドチャートへ変換する第２のインタフェースを選択する、請求項１または２記載の方法。
【請求項４】
データプロバイダ（３）のデータを呼び出すための要求信号をデータプロバイダ（３）へ送信する送信手段とデータを処理する種々のデータ処理手段とを有しており、ここで要求信号には各データ処理手段を識別する少なくとも１つの端末装置コードが含まれており、該端末装置コードを用いてデータプロバイダによって識別された特定のデータ処理手段が標準化されたフォーマットでデータプロバイダが形成したただ１つのデータサービス（４）を受け取る、
データプロバイダからのデータを受信する端末装置（１、２）において、
データプロバイダ（３）内に設けられている複数のインタフェース（６，７）を介して、データプロバイダから供給される標準化されたフォーマットのただ１つのデータサービスのデータがそれぞれのデータ処理手段に対して適合化される
ことを特徴とするデータプロバイダからのデータを受信する端末装置。
【請求項５】
ディジタル移動電話無線ネットワークを介してデータがデータプロバイダ（３）と交換される、請求項４記載の端末装置。
【請求項６】
端末装置コードに基づいて、データを第１のデータ処理手段において処理可能なテキスト出力または音声出力へ変換する第１のインタフェース、または、データを第２のデータ処理手段において処理可能なランドチャートへ変換する第２のインタフェースが選択される、請求項４または５記載の端末装置。
【請求項７】
付加機能部を有する自動車ラジオとして構成されている、請求項４から６までのいずれか１項記載の端末装置。
【発明の詳細な説明】
【０００１】
従来の技術
本発明は、独立請求項の上位概念に記載の情報を伝送する方法およびデータを受信する端末装置に関する。
【０００２】
すでに情報を伝送する方法およびデータを受信する端末装置は周知である。ここではデータプロバイダにそれぞれデータサービス４、５が設けられており、このデータサービスは端末装置１、２のデータ処理手段に適合化されている（図１を参照）。ただしこの種の装置はきわめて自由度が低い。
【０００３】
本発明の利点
本発明による情報を伝送する方法およびデータを受信する端末装置は従来の技術に対して、データサービスをもはや個々に端末装置の手段に適合化しなくともよい利点を有する。むしろデータは標準化されたフォーマットにより形成され、相応にインタフェースを介して端末装置のデータ処理手段に適合化される。したがって種々の手段を備えた複数の端末装置で同じデータサービスを利用することができる。さらに端末装置の構造が簡単化される。なぜなら主要な機能部をただ一度だけデータプロバイダに設ければよいからである。インタフェースはデータプロバイダ側にのみ設けられるので、エラーはきわめて簡単に中央で除去され、新たな端末装置への適合化も一度だけ行えばよい。
【０００４】
従属請求項に記載された手段により、独立請求項の対象となる本発明の有利な改善形態が得られる。データの交換に対して、有利には無線ネットワーク、特にディジタル移動電話ネットワークが使用される。この場合データは端末装置からデータプロバイダへ伝達することもできるし、逆にデータプロバイダから端末装置へ伝達することもできる。
【０００５】
図面
本発明の実施例を図示し、以下に詳細に説明する。図１には端末装置とデータプロバイダとの間でデータ交換を行う従来の方法が示されている。図２には端末装置とデータプロバイダとの間でデータ交換を行う本発明の方法が示されている。
【０００６】
実施例の説明
図１にはすでに周知の情報の伝送システムが示されている。このシステムはデータクライアント１、２を有しており、これらのデータクライアントは車両内の端末装置、例えば付加機能部を備えた自動車ラジオとして構成されている。データクライアント１、２または端末装置１、２はデータプロバイダ３またはインフラストラクチャ３に対向している。このデータプロバイダ３またはインフラストラクチャ３はデータを形成し、このデータは伝送媒体１０を介してデータクライアントに伝送される。伝送媒体はここでは矢印１０により示されている。データ伝送媒体１０について、ここでは特にディジタル無線電話システム、例えばＧＳＭ移動無線システムを考察する。ＧＳＭ移動無線システムでは、ショートメッセージサービスの範囲でデータが伝送される。さらにデータをＧＳＭ移動無線電話の通常の通話チャネルを介して、例えばファクスデータのかたちで伝送することができる。この場合矢印１０で示されているように、データプロバイダ３から端末装置１、２へデータを伝送するだけでなく、端末装置１、２からデータプロバイダ３へデータを伝送することもできる。これは特に端末装置１、２がこちらからデータプロバイダ３の相応のデータを要求するために用いられる。
【０００７】
データプロバイダ３は図１では２つの異なるデータサービス４、５を有しており、これらのサービスはそれぞれ端末装置１、２に適合化されている。種々のデータサービス４、５は確かにほぼ同じ機能性を有しているが、それぞれ端末装置１、２の手段に適合化されている。データサービス４、５は例えば、ユーザに対してその時点での実際の交通状態を考慮して旅行ルートを編成することである。ユーザは相応にスタート地点とゴール地点とを端末装置１、２へ入力し、伝送媒体１０を介して、旅行ルートを編成するという相応の要求を有するデータをデータプロバイダ３へ伝達する。データサービス４、５はそれぞれ最適な旅行ルートを形成し、これを伝送媒体１０を介して端末装置１、２へ戻す。端末装置１、２は特に情報が表される形式において異なっている。端末装置１は例えば小さなディスプレイと音声出力装置を有している。最適なルートは、場所についての短い入力データが画面上に現れ、必要に応じて相応の音声信号が出力されることにより表示される。端末装置２は例えば大きなカラー画面を有する。この端末装置では最適な旅行ルートに関する情報は相応にカラーでマーキングされたランドチャートにより画面上に表示される。種々の端末装置の手段に基づいてデータプロバイダ側ではそれぞれ端末装置１、２のデータ処理手段に適合化された種々のデータサービス４、５を設けなければならない。
【０００８】
図２には、データプロバイダ３とデータクライアント１、２との間で情報を伝送する本発明の方法が示されている。伝送媒体１０の端末装置１、２およびデータプロバイダ３は図１の相応の要素に相応する。特にこれらの要素はデータ処理手段の点で異なっており、特に画面上での表示、または音声のかたちでの出力の点で区別される。
【０００９】
データプロバイダ３の内部構造は図１とは異なっている。データプロバイダ３はただ１つのデータサービス４を有しており、このサービスは端末装置１、２のデータ処理手段とは独立に構成されている。データが伝送媒体１０を介してそれぞれの端末装置１、２へ伝送される前に、これらのデータはインタフェース６、７を介して相応に端末装置１、２へ適合化される。インタフェース６、７の目的はデータサービス４から提供されたデータを端末装置１、２の手段に適合化させること、および端末装置１、２からデータプロバイダ３へ送信された情報をデータサービス４に相応に適合化させることである。インタフェースとはここでは例えばソフトウェアとして構成されたインタフェース形変換器であり、端末装置からデータサービスへ送られるデータまたはその反対方向のデータの適合化を行う。例えば端末装置１は音声入力装置を有することができる。この音声データはこの場合インタフェース６へ伝送され、そこでデータサービス４に対する相応の情報となるように調製される。この情報は上述の実施例では、プランニングされる旅行のスタート地点およびゴール地点に相当する。データサービス４はこのデータに即して最適な旅行ルートを決定し、この最適な旅行ルートに関する複数の情報をインタフェース６へ送出する。データサービス４が例えばランドチャートを使用している場合には、この情報はインタフェース６を介して端末装置での短いテキスト形式の表示または音声出力のための相応のデータに変換される。なぜならこれは端末装置１のデータをさらに処理する手段に相当するからである。したがってインタフェース６からは通信媒体１０を介して、端末装置１において処理可能な所定のフォーマットのデータのみが伝送される。端末装置２は比較的大きなカラー画面を有しており、この画面を用いて端末装置２のユーザはこのユーザの旅行のスタート地点とゴール地点とを入力することができる（例えばタッチパネル）。これらのデータは通信媒体１０を介してインタフェース７へ伝送され、このインタフェースはデータサービス４に対する相応の入力データを形成する。データサービス４は相応に旅行ルートをここでは例えば同様に端末装置２の画面上に表示できないフォーマットおよびサイズの大きなランドチャートのかたちでまとめる。インタフェース７はこのデータを相応に、例えばデータサービス４によって使用されているチャート部分がきわめて大きいので、必要のないチャートデータを相応に端末装置２に表示可能なフォーマットへ調製する。このデータのみがインタフェース１０を介して端末装置２に伝送される。すなわち端末装置２はこの場合にも合理的に処理可能なデータのみを受け取る。
【００１０】
インタフェースをデータプロバイダ３に配置することにより、各端末装置１、２に対して端末装置の手段に適合化された固有のデータサービスを形成する必要がないという利点を有する。むしろ１つのデータサービスをデータ処理手段に関して著しく異なっている完全に別々の端末装置に利用可能となる。データサービスの形成にかかるコストは低減される。さらに端末装置を相応に簡単に構成することができる。なぜなら端末装置が既存のデータサービスに適合化されるのではなく、逆にデータサービスのほうが端末装置の各手段に適合化されるからである。このことはさらに、新たなデータ処理手段を備えた付加的な端末装置が挿入される場合に、既存のデータサービスを簡単に新たな端末装置に適合化できるので有利である。新たなタイプの端末装置が現れた場合にも、インタフェースのみを新たな端末装置に適合化するだけでよい。
【００１１】
インタフェース６、７は必ずしもデータサービス４とともに配置しなくともよい。同様に通信媒体１０のプロバイダ、例えばディジタル移動電話ネットワークの経営者が相応にサービスプロバイダのデータを購入し、移動電話の顧客のために調製することもできる。この場合図２に示されたデータプロバイダは２つの異なるサービスから成っているが、顧客側から見ると唯一のデータプロバイダ３が存在しているように見えるはずである。
【００１２】
機能の一部が端末装置からデータプロバイダ３へ移されることにより、種々の端末装置が同じサービスを利用することができる。さらに端末装置は簡単化される。なぜなら種々の端末装置をデータサービスに適合化する煩雑さをただ１つのサービスプロバイダで済ますことができるからである。さらに既存のサービスを付加的な機能によって拡張することもきわめて簡単にできる。この場合相応してインタフェースのみを適合化すればよい。新たな表示手段を有する端末装置に対してはデータプロバイダ側の相応のインタフェースのみを補充するだけでよい。この場合既存のサービスを同様に利用できる。エラーが発生する場合にはこれを中央のデータプロバイダ３できわめて簡単に除去でき、その際に全ての端末装置でソフトウェアを交換する必要はない。したがって基本的にはデータプロバイダが端末装置に適合化される場合のほうが有利であり、逆転はされない。
【００１３】
端末装置のデータ処理手段による伝達は、端末装置に唯一の端末装置識別マークまたは端末装置コードが記憶され、これらがサービスプロバイダへ伝達されるように構成できる。インタフェースまたはサービスプロバイダには、これらの識別マークを所定のデータ処理手段に割り当てることのできるリストが記憶されている。
【図面の簡単な説明】
【図１】  従来の方法を示す図である。
【図２】  本発明の方法を示す図である。
【図１】
0004090001.tif 000002
【図２】
0004090001.tif 000003